(57)【要約】【課題】高品質な表示が可能なプロジェクターを提供する。【解決手段】プロジェクター（２）は、第１波長光と第２波長光とを含む光を発し、所定の電力で駆動した際に第２波長光は第１波長光よりも光強度が弱いスペクトルを示す光源（４）と、光源からの第１波長光と第２波長光とを分離して時間順次で射出する光分離部（５）と、光分離部からの第１波長光を第１画像の画像データに応じて変調し、第１画像の形成とは別のタイミングで、光分離部からの第２波長光を第２画像の画像データに応じて変調する画像形成部（６）と、光分離部から第１波長光が射出される際は、第１電力を光源へ供給し、光分離部から第２波長が射出される際は、第１電力より大きい第２電力を光源へ供給する制御部（８）と、画像形成部が形成した第１画像及び第２画像を投写する投写部（７）と、を備える。【選択図】図１
2014056028.tif 000002
【特許請求の範囲】
【請求項１】
第１視点用の第１画像と第２視点用の第２画像とを時分割で投写するプロジェクターであって、
第１波長光と第２波長光とを含む光を発し、所定の電力で駆動した際に前記第２波長光は前記第１波長光よりも光強度が弱いスペクトルを示す光源と、
前記光源からの前記第１波長光と前記第２波長光とを分離して時間順次で射出する光分離部と、
前記光分離部からの前記第１波長光を前記第１画像の画像データに応じて変調し、前記第１画像の形成とは別のタイミングで、前記光分離部からの前記第２波長光を前記第２画像の画像データに応じて変調する画像形成部と、
前記光分離部から前記第１波長光が射出される際は、第１電力を前記光源へ供給し、前記光分離部から前記第２波長光が射出される際は、前記第１電力より大きい第２電力を前記光源へ供給する制御部と、
前記画像形成部が形成した前記第１画像及び前記第２画像を投写する投写部と、を備えるプロジェクター。
【請求項２】
前記光源の前記スペクトルは、光強度が極大になるピーク波長を複数有し、
前記第１波長光は、前記ピーク波長の少なくとも一つを含む波長帯の光である
請求項１に記載のプロジェクター。
【請求項３】
前記光分離部は、
前記第１波長光を通すとともに前記第２波長光を遮光する第１フィルターと、
前記第２波長光を通すとともに前記第１波長光を遮光する第２フィルターとを備え、
前記第２フィルターにおける前記第２波長光の透過率は、前記第１フィルターにおける前記第１波長光の透過率よりも低い
請求項１又は２に記載のプロジェクター。
【請求項４】
前記光源は、第１色光と第２色光とを含む光を発し、前記第１色光は前記第１波長光と前記第２波長光とを含み、前記第２色光は第３波長光と第４波長光とを含み、前記スペクトルは、前記所定の電力で前記光源を駆動した際に前記第４波長光は第３波長光よりも光強度の弱い特性を示し、
前記光分離部は、
前記光源からの、前記第１波長光及び前記第３波長光を含む光と、前記第２波長光及び前記第４波長光を含む光とを分離して時間順次で射出し、
前記画像形成部は、
さらに前記第３波長光を前記第１画像の画像データに応じて変調し前記第４波長光を前記第２画像の画像データに応じて変調し、
前記第１波長光と前記第２波長光とを時間順次で変調する第１光変調器と、
前記第３波長光と前記第４波長光とを時間順次で変調する第２光変調器と、を備える
請求項１〜３のいずれか一項に記載のプロジェクター。
【請求項５】
前記光源は、第１色光と第２色光とを含む光を発し、前記第１色光は前記第１波長光と前記第２波長光とを含み、前記第２色光は第３波長光と第４波長光とを含み、前記所定の電力で前記光源を駆動した際に前記第４波長光は第３波長光よりも光強度の弱い発光スペクトル特性を有し、
前記光分離部は、
前記光源からの前記第１波長光、前記第２波長光、前記第３波長光、及び前記第４波長光をそれぞれ分離して時間順次で射出し、
前記画像形成部は、さらに前記第３波長光を前記第１画像の画像データに応じて変調し前記第４波長光を前記第２画像の画像データに応じて変調し、前記第１波長光、前記第２波長光、前記第３波長光、及び前記第４波長光を時間順次で変調する光変調器を備え、
前記制御部は、
前記光分離部から前記第３波長光が射出される際は、前記第１電力を前記光源へ供給し、前記光分離部から前記第４波長が射出される際は、前記第２電力を前記光源へ供給する
請求項１〜３のいずれか一項に記載のプロジェクター。
【請求項６】
前記光源は、第１色光と第２色光とを含む光を発し、前記第１色光は前記第１波長光と前記第２波長光とを含み、前記第２色光は第３波長光と第４波長光とを含み、前記所定の電力で前記光源を駆動した際に前記第４波長光は第３波長光よりも光強度の弱い発光スペクトル特性を有し、
前記光分離部は、
前記光源からの前記第１波長光、前記第２波長光、前記第３波長光、及び前記第４波長光をそれぞれ分離して時間順次で射出し、
前記画像形成部は、さらに前記第３波長光を前記第１画像の画像データに応じて変調し前記第４波長光を前記第２画像の画像データに応じて変調し、前記第１波長光、前記第２波長光、前記第３波長光、及び前記第４波長光を時間順次で変調する光変調器を備え、
前記制御部は、
前記光分離部から前記第３波長光が射出される際は、前記第１電力を前記光源へ供給し、前記光分離部から前記第４波長が射出される際は、前記第１電力よりは大きく前記第２電力よりは小さい第３電力を前記光源へ供給する
請求項１〜３のいずれか一項に記載のプロジェクター。
【請求項７】
請求項４〜６のいずれか一項に記載のプロジェクターと、
前記プロジェクターが画像を投写している表示画面からの光を波長に応じて分離するカラーフィルターと、を備え、
前記カラーフィルターは、
前記第２波長光および前記第４波長光を遮光するとともに前記第１波長光および前記第３波長光を通す第１視点用のフィルターと、
前記第１波長光および前記第３波長光を遮光するとともに前記第２波長光および前記第４波長光を通す第２視点用のフィルターと、を有し、
前記制御部は、
前記所定の電力で前記光源を駆動した際に前記第１視点用のフィルターを通った前記第１画像の明るさと前記第２視点用のフィルターを通った前記第２画像の明るさとの差より、前記第１電力で前記光源を駆動した際に前記第１視点用のフィルターを通った前記第１画像の明るさと前記第２電力で前記光源を駆動した際に前記第２視点用のフィルターを通った前記第２画像の明るさとの差の方が小さくなるように、前記光源へ供給される電力を制御する
画像表示システム。
【請求項８】
請求項４〜６のいずれか一項に記載のプロジェクターと、
前記プロジェクターが画像を投写している表示画面からの光を波長に応じて分離するカラーフィルターと、を備え、
前記カラーフィルターは、
前記第２波長光および前記第４波長光を遮光するとともに前記第１波長光および前記第３波長光を通す第１視点用のフィルターと、
前記第１波長光および前記第３波長光を遮光するとともに前記第２波長光および前記第４波長光を通す第２視点用のフィルターと、を有し、
前記制御部は、
前記所定の電力で前記光源を駆動した際に前記第１視点用のフィルターを通った前記第１画像のカラーバランスと前記第２視点用のフィルターを通った前記第２画像のカラーバランスとの差より、前記第１電力で前記光源を駆動した際に前記第１視点用のフィルターを通った前記第１画像のカラーバランスと前記第２電力で前記光源を駆動した際に前記第２視点用のフィルターを通った前記第２画像のカラーバランスの差の方が小さいように、前記光源へ供給される電力を制御する
画像表示システム。
【発明の詳細な説明】
【技術分野】
【０００１】
本発明は、プロジェクター及び画像表示システムに関する。
【背景技術】
【０００２】
従来から、表示画像を立体的に表現する画像表示システムが知られている（例えば、特許文献１参照）。この画像表示システムによれば、ユーザーは、右眼と左眼の視差だけずれた２つの画像（右眼用画像と左眼用画像）、いわゆる視差画像を左右のそれぞれの眼で選択的に見ることで、表示画像を立体的に視認できる。
【０００３】
画像を立体的に視認可能な表示方式の１つとして、波長分離方式（アナグリフ方式）が知られている。波長分離方式は、波長が互いに異なる２つの視差画像を表示画面に形成し、視差画像を波長の違いにより左眼と右眼とに振り分ける方式である。この表示方式は、例えば特許文献２のような表示装置で右眼用画像と左眼用画像とを投写し、投写された右眼用画像と左眼用画像とを色分離めがねにより左右の眼に振り分けることで実現できる。色分離めがねは、左眼用のバンドパスフィルターが右眼用画像を遮断し、右眼用のバンドパスフィルターが左眼用画像を遮断する構成である。
【先行技術文献】
【特許文献】
【０００４】
【特許文献１】特開２０１１−８２６１５号公報
【特許文献２】特開２００３−１０２０３０号公報
【発明の概要】
【発明が解決しようとする課題】
【０００５】
波長分離方式においては、例えば左眼用画像と右眼用画像とでユーザーが感じる色味の違いを少なくすることで、自然な表示が得られると考えられる。自然な表示を得ようとすれば、色分離めがねのバンドパスフィルターには波長が近い２種類の色光を分離する性能が要求されることになり、バンドパスフィルターの設計上の制約が厳しくなる。そのため、左眼用画像と右眼用画像とでユーザーが感じる明るさを揃えることが難しくなることがあり、結果として表示品質が低下してしまうことがありえる。
【０００６】
本発明は、上記の事情に鑑み成されたものであって、表示画像を立体的に表現できるとともに高品質な表示が可能なプロジェクターおよび画像表示システムを提供することを目的の１つとする。
【課題を解決するための手段】
【０００７】
本発明の第１の態様のプロジェクターは、第１視点用の第１画像と第２視点用の第２画像とを時分割で投写するプロジェクターであって、第１波長光と第２波長光とを含む光を発し、所定の電力で駆動した際に前記第２波長光は前記第１波長光よりも光強度が弱いスペクトルを示す光源と、前記光源からの前記第１波長光と前記第２波長光とを分離して時間順次で射出する光分離部と、前記光分離部からの前記第１波長光を前記第１画像の画像データに応じて変調し、前記第１画像の形成とは別のタイミングで、前記光分離部からの前記第２波長光を前記第２画像の画像データに応じて変調する画像形成部と、前記光分離部から前記第１波長光が射出される際は、第１電力を前記光源へ供給し、前記光分離部から前記第２波長光が射出される際は、前記第１電力より大きい第２電力を前記光源へ供給する制御部と、前記画像形成部が形成した前記第１画像及び前記第２画像を投写する投写部と、を備える。
【０００８】
第１の態様のプロジェクターは、光源から発せられた光源光のうち相対的に光強度が強い波長光により第１画像を形成し、光源光のうち相対的に光強度が弱い波長光により第２画像を形成するとともに光源への供給電力を大きくする。ここで、光源光のうち相対的に光強度が弱い波長光は、光源への供給電力を大きくした場合の光強度の増加率が、光源光のうち相対的に光強度が強い波長光よりも大きい。したがって、このプロジェクターは、第２画像を形成する際の光強度の増加率が大きいことになる。よって、このプロジェクターは、光源への供給電力を大きくした際に、第２画像のカラーバランスが崩れることを抑制しつつ、第２画像の明るさを第１画像の明るさに近づけることができる。結果として、このプロジェクターは、表示画像を立体的に表現できるとともに高品質な表示が可能である。
【０００９】
第１の態様のプロジェクターにおいて、前記光源の前記スペクトルは、光強度が極大になるピーク波長を複数有し、前記第１波長光は、前記ピーク波長の少なくとも一つを含む波長帯の光であってもよい。
【００１０】
このプロジェクターは、明るい第１画像を投写できるとともに、第２画像の明るさを第１画像の明るさに近づけることができる。
【００１１】
第１の態様のプロジェクターにおいて、前記光分離部は、前記第１波長光を通すとともに前記第２波長光を遮光する第１フィルターと、前記第２波長光を通すとともに前記第１波長光を遮光する第２フィルターとを備え、前記第２フィルターにおける前記第２波長光の透過率は、前記第１フィルターにおける前記第１波長光の透過率よりも低くてもよい。
【００１２】
このプロジェクターは、光源への電力供給を大きくした際に、第２波長光の光量が第１波長光の光量に対して過剰になることを抑制できる。
【００１３】
第１の態様のプロジェクターにおいて、前記光源は、第１色光と第２色光とを含む光を発し、前記第１色光は前記第１波長光と前記第２波長光とを含み、前記第２色光は第３波長光と第４波長光とを含み、前記スペクトルは、前記所定の電力で前記光源を駆動した際に前記第４波長光は第３波長光よりも光強度の弱い特性を示し、前記光分離部は、前記光源からの、前記第１波長光及び前記第３波長光を含む光と、前記第２波長光及び前記第４波長光を含む光とを分離して時間順次で射出し、前記画像形成部は、さらに前記第３波長光を前記第１画像の画像データに応じて変調し前記第４波長光を前記第２画像の画像データに応じて変調し、前記第１波長光と前記第２波長光とを時間順次で変調する第１光変調器と、前記第３波長光と前記第４波長光とを時間順次で変調する第２光変調器と、を備えていてもよい。
【００１４】
このプロジェクターは、１つの光変調器で複数の波長光を時間順次で変調するので、装置構成をシンプルにすることができる。また、このプロジェクターは、第１画像を第１光変調器により形成し、第２画像を第２光変調器により形成するので、画像形成部の制御をシンプルにすることができる。
【００１５】
第１の態様のプロジェクターにおいて、前記光源は、第１色光と第２色光とを含む光を発し、前記第１色光は前記第１波長光と前記第２波長光とを含み、前記第２色光は第３波長光と第４波長光とを含み、前記所定の電力で前記光源を駆動した際に前記第４波長光は第３波長光よりも光強度の弱い発光スペクトル特性を有し、前記光分離部は、前記光源からの前記第１波長光、前記第２波長光、前記第３波長光、及び前記第４波長光をそれぞれ分離して時間順次で射出し、前記画像形成部は、さらに前記第３波長光を前記第１画像の画像データに応じて変調し前記第４波長光を前記第２画像の画像データに応じて変調し、前記第１波長光、前記第２波長光、前記第３波長光、及び前記第４波長光を時間順次で変調する光変調器を備え、前記制御部は、前記光分離部から前記第３波長光が射出される際は、前記第１電力を前記光源へ供給し、前記光分離部から前記第４波長が射出される際は、前記第２電力を前記光源へ供給してよい。
【００１６】
このプロジェクターは、第１〜第４波長光を１つの光変調器により変調するので、装置構成をシンプルにすることができる。
【００１７】
第１の態様のプロジェクターにおいて、前記光源は、第１色光と第２色光とを含む光を発し、前記第１色光は前記第１波長光と前記第２波長光とを含み、前記第２色光は第３波長光と第４波長光とを含み、前記所定の電力で前記光源を駆動した際に前記第４波長光は第３波長光よりも光強度の弱い発光スペクトル特性を有し、前記光分離部は、前記光源からの前記第１波長光、前記第２波長光、前記第３波長光、及び前記第４波長光をそれぞれ分離して時間順次で射出し、前記画像形成部は、さらに前記第３波長光を前記第１画像の画像データに応じて変調し前記第４波長光を前記第２画像の画像データに応じて変調し、前記第１波長光、前記第２波長光、前記第３波長光、及び前記第４波長光を時間順次で変調する光変調器を備え、前記制御部は、前記光分離部から前記第３波長光が射出される際は、前記第１電力を前記光源へ供給し、前記光分離部から前記第４波長が射出される際は、前記第１電力よりは大きく前記第２電力よりは小さい第３電力を前記光源へ供給してもよい。
【００１８】
このプロジェクターは、第１〜第４波長光を１つの光変調器により変調するので、装置構成をシンプルにすることができる。
【００１９】
第２の態様の画像表示システムは、第１の態様のプロジェクターと、前記プロジェクターが画像を投写している表示画面からの光を波長に応じて分離するカラーフィルターと、を備え、前記カラーフィルターは、前記第２波長光および前記第４波長光を遮光するとともに前記第１波長光および前記第３波長光を通す第１視点用のフィルターと、前記第１波長光および前記第３波長光を遮光するとともに前記第２波長光および前記第４波長光を通す第２視点用のフィルターと、を有し、前記制御部は、前記所定の電力で前記光源を駆動した際に前記第１視点用のフィルターを通った前記第１画像の明るさと前記第２視点用のフィルターを通った前記第２画像の明るさとの差より、前記第１電力で前記光源を駆動した際に前記第１視点用のフィルターを通った前記第１画像の明るさと前記第２電力で前記光源を駆動した際に前記第２視点用のフィルターを通った前記第２画像の明るさとの差の方が小さくなるように、前記光源へ供給される電力を制御する。
【００２０】
この画像表示システムは、第１の態様のプロジェクターにより画像を投写するので、表示画像を立体的に表現できるとともに高品質な表示が可能である。また、この画像表示システムは、第１視点用と第２視点用のそれぞれを通った波長光による画像の明るさの差を小さくするので、高品質な画像を表現できる。
【００２１】
第３の態様の画像表示システムは、第１の態様のプロジェクターと、前記プロジェクターが画像を投写している表示画面からの光を波長に応じて分離するカラーフィルターと、を備え、前記カラーフィルターは、前記第２波長光および前記第４波長光を遮光するとともに前記第１波長光および前記第３波長光を通す第１視点用のフィルターと、前記第１波長光および前記第３波長光を遮光するとともに前記第２波長光および前記第４波長光を通す第２視点用のフィルターと、を有し、前記制御部は、前記所定の電力で前記光源を駆動した際に前記第１視点用のフィルターを通った前記第１画像のカラーバランスと前記第２視点用のフィルターを通った前記第２画像のカラーバランスとの差より、前記第１電力で前記光源を駆動した際に前記第１視点用のフィルターを通った前記第１画像のカラーバランスと前記第２電力で前記光源を駆動した際に前記第２視点用のフィルターを通った前記第２画像のカラーバランスの差の方が小さいように、前記光源へ供給される電力を制御する。
【００２２】
この画像表示システムは、第１の態様のプロジェクターにより画像を投写するので、表示画像を立体的に表現できるとともに高品質な表示が可能である。また、この画像表示システムは、第１視点用と第２視点用のそれぞれを通った波長光による画像のカラーバランスの差を小さくするので、高品質な画像を表現できる。
【図面の簡単な説明】
【００２３】
【図１】第１実施形態における画像表示システムを示す図である。
【図２】光源への供給電力の変化に伴うスペクトル変化を示すグラフである。
【図３】低電力時の光強度に対する高電力時の光強度の変化量を示すグラフである。
【図４】光分離部の構成を示す図である。
【図５】画像の形成タイミングと光源への供給電力の時間変化を示す図である。
【図６】色分離めがねにおけるフィルターの特性を示すグラフである。
【図７】視点に到達する画像光に含まれる波長光のスペクトルを示すグラフである。
【図８】視差画像のカラーバランス及び明るさを示すグラフである。
【図９】第２実施形態におけるプロジェクターを示す図である。
【図１０】第２実施形態における光分離部の構成を示す図である。
【図１１】画像の形成タイミングと光源への供給電力の時間変化を示す図である。
【図１２】視差画像のカラーバランス及び明るさを示すグラフである。
【発明を実施するための形態】
【００２４】
［第１実施形態］
第１実施形態について説明する。図１は、第１実施形態における画像表示システム１を示す図である。この画像表示システム１は、色分離方式で画像を立体的に観察（鑑賞）可能な３Ｄ表示システムであり、プロジェクター２及び色分離めがね３を備える。
【００２５】
プロジェクター２は、例えばＤＶＤプレイヤー、ＰＣなどの信号源から供給される画像データに従って画像を形成し、形成した画像をスクリーンや壁などの投写面ＳＣ（表示画面）に投写する。この信号源とスクリーンの一方または双方は、画像表示システム１の一部であってもよいし、画像表示システム１の外部の装置であってもよい。
【００２６】
プロジェクター２は、画像を２次元的に表現する２Ｄモードと、画像を３次元的に表現する３Ｄモードとを切り替え可能である。３Ｄモードにおいて、プロジェクター２は、左右の眼の視差が加味された１対の視差画像の情報を含む画像データを信号源から供給されて、この画像データに従って視差画像を投写する。プロジェクター２は、一対の視差画像のうちの第１視点Ｖ１用の第１画像である右眼用画像を形成し、続いて右眼用画像とは異なる波長帯の光で第２視点Ｖ２用の第２画像である左眼用画像を形成する。これにより、右眼用画像と左眼用画像は、時間順次で交互に投写される。
【００２７】
色分離めがね３は、右眼用画像と左眼用画像とを波長帯の違いによって分離し、右眼用画像を観察者の右眼（第１視点Ｖ１）に振り分けるとともに、左眼用画像を観察者の左眼（第２視点Ｖ２）に振り分ける。このようにして、観察者は、１対の視差画像のうちほぼ左眼用画像のみを左眼で観察し、１対の視差画像のうちほぼ右眼用画像のみを右眼で観察することになり、プロジェクター２が投写した画像を立体的に感じることができる。
【００２８】
次に、画像表示システム１の各部について、より詳しく説明する。
【００２９】
図１のプロジェクター２は、光源４、光分離部５、画像形成部６、投写部７、及び制御部８を備える。プロジェクター２は、光源４からの光（光源光）のうち所定の波長の光（波長光）を光分離部５によって分離し、分離された波長光を画像形成部６が変調することで画像を形成する。投写部７は、いわゆる投写レンズであり、画像形成部６が形成した画像を投写する。
【００３０】
光源４は、電源部９から供給される供給電力により、第１色光（赤色光）、第２色光（緑色光、及び第３色光（青色光）を含む光源光を発する。光源４は、超高圧水銀ランプ（ＵＨＰ）などのランプ光源である。ランプ光源は、水銀などの封入ガスを供給電力によって励起し、励起状態した封入ガスが基底状態（または準基底状態）に戻る際の発光を利用するものである。光源４の光強度が極大となるピーク波長は、封入ガスの組成などに応じて定まり、例えば４０４．７ｎｍ、４３５．８ｎｍ、５４６．１ｎｍ、５７７．０ｎｍ、５７９．１ｎｍなどである。制御部８は、電源部９を制御することによって、光源４へ供給される電圧と電流の一方または双方（供給電力）を制御できる。光源４が発する光源光は、供給電力が変化することでスペクトルが変化する。
【００３１】
図２は、光源４への供給電力の変化に伴うスペクトル変化を示すグラフである。図２には、光源光から各色光（赤色光、緑色光、青色光）をフィルターで分離したときの色光ごとのスペクトル（波長に対する光強度の分布）を、低電力時と高電力時のそれぞれについて示した。
【００３２】
ここで、赤色光は、例えば、波長が７００ｎｍの光を含み、その波長帯が５９０ｎｍ以上７８０ｎｍ未満である。緑色光は、例えば、波長が５４６．１ｎｍの光を含み、その波長帯が５００ｎｍ以上５９０ｎｍ未満である。青色光は、例えば波長が４３５．８ｎｍの光を含み、その波長帯が４３０ｎｍ以上５００ｎｍ未満である。
【００３３】
図２において、符号ＲＨは高電力時の赤色光に対応し、符号ＲＬは低電力時の赤色光、符号ＧＨは高電力時の緑色光、符号ＧＬは低電力時の緑色光、符号ＢＨは高電力時の青色光、符号ＢＬは低電力時の青色光にそれぞれ対応する。図２に示すように、低電力時と高電力時とで、各色光のピーク波長は概ね同じであるが、低電力時に対する高電力時の光強度の変化量は波長によって異なっている。
【００３４】
図３は、低電力時の光強度に対する高電力時の光強度の変化量（増加率）を示すグラフである。図３に示すように、光強度の増加率は、概ねピーク波長の付近で極小となり、ピーク波長から離れた波長において極大となる傾向がある。本実施形態のプロジェクターは、この傾向を利用して高品質な画像を表示できるように構成されているが、その原理については後述する。
【００３５】
図１の説明に戻り、光源４からの光源光が入射する位置には、画像形成部６において照度を均一化する均一化光学系１０が設けられている。均一化光学系１０は、例えばフライアイレンズで光源光を空間的に分割して複数の光源像を形成し、複数の光源像からの光束を照明領域（画像形成部６）で重畳する。均一化光学系１０は、ロッドインテグレータなどで照度を均一化する構成でもよい。
【００３６】
光分離部５は、光源４から光源光が入射する位置に配置されている。光分離部５は、光源４からの赤色光のうちの第１波長光と第２波長光とを分離し、光源４からの緑色光のうち第３波長光と第４波長光とを分離し、光源４からの青色光のうち第５波長光と第６波長光とを分離する。
【００３７】
赤色光の第１波長光の波長帯は、第２波長光よりも光強度が強い波長帯から選択される。例えば、第１波長光の波長帯は、赤色光のピーク波長を含む波長帯に設定され、第２波長光の波長帯は、このピーク波長を含まない波長帯に設定される。緑色光の第３波長光の波長帯は、第４波長光よりも光強度が強い波長帯から選択される。例えば、第３波長光の波長帯は、緑色光のピーク波長を含む波長帯に設定され、第４波長光の波長帯は、このピーク波長を含まない波長帯に設定される。青色光の第５波長光の波長帯は、第６波長光よりも光強度が強い波長帯から選択される。例えば、第５波長光の波長帯は、青色光のピーク波長を含む波長帯に設定され、第６波長光の波長帯は、このピーク波長を含まない波長帯に設定される。
【００３８】
図４は、光分離部５を示す図である。図４の光分離部５は、いわゆるカラーホイールで構成されており、所定軸の周りで回転可能な回転ホイール１１と、回転ホイール１１を回転させるホイール駆動部１２とを備える。回転ホイール１１には、所定軸の周方向に配列された複数のフィルター１３が設けられている。複数のフィルター１３は、光源４からの光源光が入射する位置に配置されている。複数のフィルター１３は、それぞれ、光源光のうち所定の波長光を通すとともにそれ以外の波長光を遮断（吸収）する。各フィルター１３が通す波長光の波長帯は、複数のフィルター１３で互いに異なっている。
【００３９】
ここでは、複数のフィルター１３として、赤色光の第１波長光（図６、図７に符号ｒ１で示す）、緑色光の第３波長光（図６、図７に符号ｇ１で示す）、及び青色光の第５波長光（図６、図７に符号ｂ１で示す）を通す第１フィルター１３ＲＧＢ１と、赤色光の第２波長光（図６、図７に符号ｒ２で示す）、緑色光の第４波長光（図６、図７に符号ｇ２で示す）、及び青色光の第６波長光（図６、図７に符号ｂ２で示す）を通す第２フィルター１３ＲＧＢ２が、所定軸の周りに並んで配置されている。
【００４０】
ホイール駆動部１２は、電動モータなどで構成され、回転ホイール１１に所定軸周りのトルクを供給する。図１の制御部８は、ホイール駆動部１２を制御することで、回転ホイール１１の回転位置を制御できる。回転ホイール１１が回転することにより、光源４からの光が入射するフィルター１３の領域が切り替えられ、光分離部５は、第１波長光ｒ１、第３波長光ｇ１、及び第５波長光ｂ１を含む光と、第２波長光ｒ２、第４波長光ｇ２、及び第６波長光ｂ２を含む光とを時間順次で射出する。
【００４１】
図１に示すように、光分離部５からの波長光が入射する位置には、この波長光を画像形成部６に導く導光部１５が設けられている。導光部１５は、例えば、ダイクロイックミラー１６ａ、ダイクロイックミラー１６ｂ、折り曲げミラー１７、及びリレー光学系１８を備える。
【００４２】
ダイクロイックミラー１６ａは、赤色光（第１波長光および第２波長光）が通過し、緑色光（第３波長光および第４波長光）及び青色光（第５波長光および第６波長光）が反射する特性を有する。ダイクロイックミラー１６ｂは、緑色光が反射し、青色光が通過する特性を有する。赤色光は、ダイクロイックミラー１６ａを通過した後に、折り曲げミラー１７で反射して画像形成部６に到達する。緑色光は、ダイクロイックミラー１６ａで反射した後に、ダイクロイックミラー１６ｂで反射して画像形成部６に到達する。青色光は、ダイクロイックミラー１６ａで反射してダイクロイックミラー１６ｂを通過した後に、リレー光学系１８を介して画像形成部６に入射する。導光部１５は、光源光を赤色光、緑色光、青色光に分離し、光分離部５の一部として機能する。
【００４３】
本実施形態のプロジェクター２は、いわゆる３板式のプロジェクターであり、画像形成部６として３つの光変調器２０を備える。３つの光変調器２０は、赤色の画像を形成する光変調器２０ａ、緑色の画像を形成する光変調器２０ｂ、及び色の画像を形成する光変調器２０ｃを含む。光変調器２０ａは赤色光（第１波長光および第２波長光）が導光部１５から入射する位置に配置され、光変調器２０ｂは緑色光（第３波長光および第４波長光）が導光部１５から入射する位置、光変調器２０ｃは青色光（第５波長光および第６波長光）が導光部１５から入射する位置にそれぞれ配置されている。
【００４４】
３つの光変調器２０は、それぞれ、液晶装置あるいはデジタルミラーデバイス（ＤＭＤ）などのライトバルブで構成される。光変調器２０は、光変調器駆動部２１によって駆動され、導光部１５から入射した各波長光を画像データに応じて変調することで各色の画像を形成する。
【００４５】
制御部８は、外部から供給された画像データに従って光変調器駆動部２１及びホイール駆動部１２を制御することで、光変調器２０に所定のタイミングで画像を形成させる。また、制御部８は、光変調器２０が波長光を変調するタイミングと同期を取りながら、電源部９を制御することで光源４への供給電力を制御する。
【００４６】
図５は、画像の形成タイミングと光源４への供給電力の時間変化を示す図である。ここでは、光変調器２０が水平走査線ごとに線順次で画像を形成するものとする。図５（ａ）は、画像を構成する水平走査線のそれぞれが描画されるタイミングを示す図であり、図５（ｂ）は、光源４への供給電力の時間変化を示す図である。
【００４７】
図５（ａ）において、縦軸は垂直走査線の番号（ｎ）、横軸は時間に対応する。例えば、フルＨＤ形式の画像（画素配列が１９２０×１０８０）において、垂直走査線は、垂直方向に並ぶ１０８０個の画素の集合（行）であり、水平方向に１９２０行並んでいる。すなわち、フルＨＤ形式の画像の場合に、垂直走査線の番号は、０から１９１９までの整数の値をとり、番号ｉの垂直走査線ＳＬは、時刻ｔ１から時刻ｔ２までの期間に、例えば明表示に保持されることを示す。
【００４８】
光変調器２０は、右眼用画像Ｉｍ１の水平走査線を形成した後に、この水平走査線を非表示（黒表示）にし、続いて左眼用画像Ｉｍ２の水平走査線を形成する。このようにして、光変調器２０は、１対の視差画像のうち右眼用画像Ｉｍ１を第１期間Ｔ１において形成し、１対の視差画像のうち左眼用画像Ｉｍ２を第１期間Ｔ１に続く第２期間Ｔ２において形成する。第１期間Ｔ１と第２期間Ｔ２は、ほぼ同じ長さに設定され、例えば１枚の立体画像（１対の視差画像）を表示する期間が１／６０秒（６０ＦＰＳ）である場合に、第１期間Ｔ１と第２期間Ｔ２は、それぞれ１／１２０秒程度に設定される。
【００４９】
図５（ｂ）において、縦軸は光源への供給電力（電圧）に対応し、横軸は時間に対応する。ここでは、制御部８が供給電力を２値的に変化させるものとし、符号Ｈは光源４への高電力供給時の供給電力のハイレベル（第２電力）、符号Ｌは光源４への低電力供給時の供給電力のローレベル（第１電力）を示す。制御部８は、光変調器２０が右眼用画像を形成する第１期間Ｔ１において供給電力をローレベルに保持し、光変調器２０が左眼用画像を形成する第２期間Ｔ２において供給電力をハイレベルに保持する。
【００５０】
光分離部５においては、制御部８が、第１期間Ｔ１では第１フィルターＲＧＢ１に光源４からの光が入射する位置になるように、及び第２期間Ｔ２では第２フィルター１３ＲＧＢ２に光源４からの光が入射する位置になるように、ホイール駆動部１２が回転ホイール１１を回転させるように制御する。
【００５１】
また、画像形成部６において、制御部８が、第１期間Ｔ１では第１波長光、第３波長光及び第５波長光を右眼用画像の画像データに応じて変調し、第２期間Ｔ２では第２波長光、第４波長光及び第６波長光を左眼用画像の画像データに応じて変調する。このようにして、光変調器２０は、図２に示した低電力時の各色光により右眼用画像を形成し、高電力時の各色光により左眼用画像を形成する。
【００５２】
画像形成部６が形成した画像に応じた光（以下、画像光という）は、図１に示すように、ダイクロイックプリズム２２を経由することで、投写部７に導かれる。投写部７は、画像形成部６が形成した画像を投写面ＳＣに投写する。
【００５３】
色分離めがね３は、プロジェクター２が画像を投写している投写面ＳＣからの光を波長に応じて分離するカラーフィルター２３を備える。カラーフィルター２３は、第１視点Ｖ１用（右眼用）のフィルター２３ａ、及び第２視点Ｖ２用（左眼用）のフィルター２３ｂを有する。
【００５４】
図６は、色分離めがね３におけるフィルター２３ａ及びフィルター２３ｂの特性を示すグラフである。図６において、縦軸は各フィルターの透過率、横軸は波長を示す。図７は、視点に到達する画像光に含まれる波長光のスペクトルを示すグラフである。
【００５５】
図６に示すように、右眼用のフィルター２３ａは、左眼用画像に応じた画像光、すなわち赤色光の第２波長光ｒ２、緑色光の第４波長光ｇ２、及び青色光の第６波長光ｂ２を遮光（吸収）する特性を有する。また、右眼用のフィルター２３ａは、右眼用画像に応じた画像光、すなわち赤色光の第１波長光ｒ１、緑色光の第３波長光ｇ１、及び青色光の第５波長光ｂ１が通過する特性を有する。
【００５６】
左眼用のフィルター２３ｂは、右眼用のフィルター２３ａとは反対の特性を有する。すなわち、左眼用のフィルター２３ｂは、右眼用画像に応じた画像光、すなわち赤色光の第１波長光ｒ１、緑色光の第３波長光ｇ１、及び青色光の第５波長光ｂ１を遮光する特性を有する。また、左眼用のフィルター２３ａは、左眼用画像に応じた画像光、すなわち赤色光の第２波長光ｒ２、緑色光の第４波長光ｇ２、及び青色光の第６波長光ｂ２が通過する特性を有する。プロジェクター２から出射して投写面ＳＣを経由した画像光（波長光）は、このような色分離めがね３を介することで、図７に示すように、観察者の左眼又は右眼に振り分けられる。
【００５７】
図８は、視差画像のカラーバランス（ホワイトバランス）及び明るさを示すグラフである。図８において、縦軸はＹ値、横軸は波長を示す。Ｙ値は、各波長における視感度と光強度とを掛け合わせた値を各波長光の波長帯で積分した値に対応する値であり、観察者が感じる明るさを示す。図８中の符号Ｒ１、Ｇ１、Ｂ１は、それぞれ、右眼用画像を構成する赤色の画像（第１波長光の画像）、緑色の画像（第３波長光の画像）、青色の画像（第５波長光の画像）に対応し、符号Ｒ２、Ｇ２、Ｂ２は、それぞれ、左眼用画像を構成する赤色の画像（第２波長光の画像）、緑色の画像（第４波長光の画像）、青色の画像（第６波長光の画像）に対応する。また、符号Ｗ１は、右眼用画像の全体の明るさに対応し、符号Ｗ２は、右眼用画像の全体の明るさに対応する。
【００５８】
さらに具体的に説明すると、所定の電力（例えばローレベルの第１電力）で光源４を駆動した際に第１視点Ｖ１用のフィルター２３ａを通った赤色の画像Ｒ１の明るさと第２視点Ｖ２用のフィルター２３ｂを通った赤色の画像Ｒ２の明るさとの差より、第１電力で光源４を駆動した際に第１視点Ｖ１用のフィルター２３ａを通った赤色の画像Ｒ１の明るさとハイレベルの第２電力で光源４を駆動した際に第２視点Ｖ２用のフィルター２３ｂを通った赤色の画像Ｒ２の明るさとの差の方が小さい。
【００５９】
所定の電力（例えばローレベルの第１電力）で光源４を駆動した際に第１視点Ｖ１用のフィルター２３ａを通った緑色の画像Ｇ１の明るさと第２視点Ｖ２用のフィルター２３ｂを通った緑色の画像Ｇ２の明るさとの差より、第１電力で光源４を駆動した際に第１視点Ｖ１用のフィルター２３ａを通った緑色の画像Ｇ１の明るさとハイレベルの第２電力で光源４を駆動した際に第２視点Ｖ２用のフィルター２３ｂを通った緑色の画像Ｇ２の明るさとの差の方が小さく、本実施形態ではその差はない。
【００６０】
所定の電力（例えばローレベルの第１電力）で光源４を駆動した際に第１視点Ｖ１用のフィルター２３ａを通った青色の画像Ｂ１の明るさと第２視点Ｖ２用のフィルター２３ｂを通った青色の画像Ｂ２の明るさとの差より、第１電力で光源４を駆動した際に第１視点Ｖ１用のフィルター２３ａを通った青色の画像Ｂ１の明るさとハイレベルの第２電力で光源４を駆動した際に第２視点Ｖ２用のフィルター２３ｂを通った青色の画像Ｂ２の明るさとの差の方が小さい。
【００６１】
所定の電力（例えばローレベルの第１電力）で光源４を駆動した際に第１視点Ｖ１用のフィルター２３ａを通った右眼用画像全体の明るさＷ１と第２視点Ｖ２用のフィルター２３ｂを通った左眼用画像全体の明るさＷ２との差より、第１電力で光源４を駆動した際に第１視点Ｖ１用のフィルター２３ａを通った右眼用画像全体の明るさＷ１とハイレベルの第２電力で光源４を駆動した際に第２視点Ｖ２用のフィルター２３ｂを通った左眼用画像全体の明るさＷ２との差の方が小さく、本実施形態ではその差はない。
【００６２】
右眼用画像と左眼用画像に間において、上述のように各色の明るさの差を小さくすること又は無くすことにより、所定の電力（例えばローレベルの第１電力）で光源４を駆動した際に第１視点Ｖ１用のフィルター２３ａを通った右眼用画像のカラーバランスと第２視点Ｖ２用のフィルター２３ｂを通った左眼用画像のカラーバランスとの差より、第１電力で光源４を駆動した際に第１視点Ｖ１用のフィルター２３ａを通った右眼用画像のカラーバランスとハイレベルの第２電力で光源４を駆動した際に第２視点Ｖ２用のフィルター２３ｂを通った左眼用画像のカラーバランスとの差の方が小さくなる。
【００６３】
本実施形態においては、図８に示すように、右眼用画像と左眼用画像とがほぼ同じ明るさで認識される。換言すると、制御部８は、左眼用のフィルター２３ｂを通った波長光による左眼用画像の明るさが、右眼用のフィルター２３ａを通った波長光による右眼用画像の明るさと揃うように、光源４へ供給される電力を制御する。
【００６４】
ところで、図３を用いて説明したように、光源４への供給電力を大きくした際の光強度の増加率は、波長に応じて異なり、低電力時において光強度が弱い波長の光であるほど高電力(ハイレベル)時に移行した際の光強度の増加率が高い傾向がある。
【００６５】
ここで、赤色光のうち相対的に光強度が弱い波長光（第２波長光ｒ２）と、緑色光のうち相対的に光強度が強い波長光（第３波長光ｇ１）とを用いて左眼用画像を形成する場合を想定する。この場合に、左眼用画像の形成時における光源４への供給電力を、右眼用画像の形成時における光源４への供給電力よりも大きくすると、赤色光の光強度の増加率が大きいのに対して緑色光の光強度の増加率が相対的に小さいことになる。そのため、低電力時に形成する右眼用画像と、高電力時に形成する左眼用画像とで明るさを揃えることが難しくなる。また、低電力時に形成する右眼用画像と、高電力時に形成する左眼用画像とでカラーバランスを揃えることが難しくなる。このような不都合は、色分離めがねのフィルターの設計では十分に解消できない可能性があり、また色分離めがねの設計コスト、製造コストの高騰を招くこともありえる。
【００６６】
本実施形態においては、左眼用画像の形成に用いる波長光（第２波長光ｒ２、第４波長光ｇ２、第６波長光ｂ２）の低電圧時の光強度は、色ごとに比較すると、右眼用画像の形成に用いる波長光（第１波長光ｒ１、第３波長光ｇ１、第５波長光ｂ１）の光強度よりも低い。そのため、左眼用画像の形成に用いる波長光（第２波長光ｒ２、第４波長光ｇ２、第６波長光ｂ２）は、高電力時に移行した際の光強度の増加率がいずれも高いことになり、左眼用画像の明るさを右眼用画像の明るさに近づけやすい。また、低電力から高電力に電力を変更した際、左眼用画像の形成に用いる波長光の光強度の増加率がいずれも高いので、高電力時にカラーバランスが崩れることが抑制される。換言すると、制御部８は、左眼用のフィルター２３ｂを通った波長光による左眼用画像のカラーバランスが、フィルター２３ａを通った波長光による右眼用画像のカラーバランスと揃うように、光源４へ供給される電力を制御している。
【００６７】
以上のような構成の本実施形態のプロジェクター２は、光源４への供給電力を大きくした際に、左眼用画像のカラーバランスが崩れることを抑制しつつ、左眼用画像の明るさを右眼用画像の明るさに近づけることができる。結果として、プロジェクター２は、表示画像を立体的に表現できるとともに高品質な表示が可能である。
【００６８】
また、プロジェクター２において、右眼用画像に用いられる波長光は、ピーク波長を含む波長帯の光であることから光強度が各色光において極大であるので、明るい画像を表示できる。このような右眼用画像の明るさに対して、左眼用画像の明るさを近づけることができるので、プロジェクター２は、立体的かつ明るい画像を表示できる。
【００６９】
また、プロジェクター２は、各色光の左眼用画像と右眼用画像とを同じ光変調器で形成している。そのため、左眼用画像と右眼用画像とを別の光変調器により形成するよりも、装置構成をシンプルにすることができる。また、同じ光変調器に、左眼用画像に応じた信号と右眼用画像に応じた信号とを時間順次で供給することで、左右の視差画像を形成できるので、光変調器の制御をシンプルにすることができる。
【００７０】
本実施形態の画像表示システム１は、上述のようなプロジェクター２により視差画像を投写するので、表示画像を立体的に表現できるとともに高品質な表示が可能である。
【００７１】
なお、本実施形態の光分離部５は、導光部１５と光源４との間の光路に配置されているが、導光部１５と画像形成部６との間の光路に配置されていてもよい。例えば、赤色光に関して、光分離部５は、赤色光のうち第１波長光を遮光するとともに第２波長を通す領域と第２波長光を遮光するとともに第１波長を通す領域とを備えるカラーホイールを含み、このカラーホイールは、導光部１５から赤色の画像を形成する光変調器に至る光路に配置されていてもよい。緑色光、青色光に関しても同様の構成にしてもよい。このようにすれば、カラーホイールでの光のロスを減らすことができる。この構成においても、導光部１５は、光源光を赤色光、緑色光、青色光に分離し、光分離部５の一部として機能する。
【００７２】
［第２実施形態］
次に、第２実施形態について説明する。本実施形態において、上記の実施形態と同様の構成要素については、適宜、上記の実施形態と同様の符号を付してその説明を簡略化あるいは省略する。
【００７３】
図９は、第２実施形態におけるプロジェクター２を示す図である。本実施形態のプロジェクター２は、いわゆるＤＬＰ方式（商標）のプロジェクターであり、１つの光変調器で左眼用画像を構成する赤、緑、青の各画像と、右眼用画像を構成する赤、緑、青の各画像を時間順次で形成する。
【００７４】
図９に示すプロジェクター２は、光源４と、光源４からの光源光が入射する位置に配置された光分離部５ａと、光分離部５ａを通った波長光が入射する位置に配置されたロッドインテグレータ３０（均一化光学系）と、ＤＭＤなどで構成される光変調器２０と、光変調器２０で形成された画像を投写する投写部７とを備える。
【００７５】
図１０は、第２実施形態における光分離部５ａの構成を示す図である。光分離部５ａは、第１実施形態の光分離部５とほぼ同様の構成を有するが、フィルター１３の構成が異なる。本実施形態の光分離部５ａのフィルター１３は、赤色光の第１波長光ｒ１（各波長光の例については図６、図７参照）を通す第１赤フィルター１３Ｒ１、緑色光の第３波長光ｇ１を通す第１緑フィルター１３Ｇ１、青色光の第５波長光ｂ１を通す第１青フィルター１３Ｂ１、赤色光の第２波長光ｒ２を通す第２赤フィルター１３Ｒ２、緑色光の第４波長光ｇ２を通す第２緑フィルター１３Ｇ２、及び青色光の第６波長光ｂ２を通す第２青フィルター１３Ｂ２が、この順に所定軸の時計周りに並んで配置されている。
【００７６】
図９の説明に戻り、光分離部５ａを通った波長光はロッドインテグレータ３０で照度が均一化されて、光変調器２０に入射する。光変調器２０は、例えば、第１波長光ｒ１、第３波長光ｇ１、第５波長光ｂ１を時間順次で変調して右眼用画像を形成し、続いて、第２波長光ｒ２、第４波長光ｇ２、第６波長光ｂ２を時間順次で変調して左眼用画像を形成する。
【００７７】
ところで、第１実施形態においては、左眼用画像の形成に際して、赤色、緑色、青色の各画像を形成するにあたって第２フィルターＲＧＢ２に光源４からの光が入射する期間中に光源４に供給される電力を一定の高電力（第２電力）としている。その結果、図８に示した例において、可視光のうち視感度が高い緑色については、右眼用画像と左眼用画像とで明るさが揃っているが、赤色および青色に関しては、右眼用画像と左眼用画像とで明るさが異なっている。
【００７８】
本実施形態において、制御部８は、図１に示した左眼用のフィルター２３ｂを通った波長光による左眼用画像が所定のカラーバランスになるように、画像形成部６による第２波長光ｒ２の変調時に光源４へ供給される電力を、画像形成部６による第４波長光ｇ２の変調時に光源４へ供給される電力と異なる値に制御する。
【００７９】
図１１は、画像の形成タイミングと光源４への供給電力の時間変化を示す図である。図８の例では、赤色と青色とが、それぞれ、左眼用画像において右眼用画像よりも明るく認識される。そこで、図１１の例では、画像形成部６において、左眼用画像を形成する第２期間Ｔ２において、赤色光の第２波長光ｒ２を変調する期間Ｔｒは第３電力を光源４の供給し、緑色光の第４波長光ｇ２を変調する期間Ｔｇは第２電力を供給し、青色光の第６波長光を変調する期間Ｔｂは第４電力を光源４に供給する。期間Ｔｒに光源４に供給する第３電力及び期間Ｔｂに光源４に供給する第４電力は、右眼用画像を形成する第１期間Ｔ１で光源４に供給される第１電力よりも大きく、期間Ｔｇに光源４に供給する第２電力よりも小さい。光分離部５ａにおいては、制御部８が、第１期間Ｔ１では第１赤フィルター１３Ｒ１、第１緑フィルター１３Ｇ１、第１青フィルター１３Ｂ１が順次光源４からの光が入射する位置になるように、及び第２期間Ｔ２の期間Ｔｒでは第２赤フィルター１３Ｒ２が、期間Ｔｇでは第２緑フィルター１３Ｇ２が、及び期間Ｔｂでは第２青フィルター１３Ｂ２が、光源４からの光が入射する位置になるように、ホイール駆動部１２が回転ホイール１１を回転させるように制御する。
【００８０】
図１２は、視差画像のカラーバランス及び明るさを示すグラフである。さらに具体的に説明すると、所定の電力（例えばローレベルの第１電力）で光源４を駆動した際に第１視点Ｖ１用のフィルター２３ａを通った赤色の画像Ｒ１の明るさと第２視点Ｖ２用のフィルター２３ｂを通った赤色の画像Ｒ２の明るさとの差より、第１電力で光源４を駆動した際に第１視点Ｖ１用のフィルター２３ａを通った赤色の画像Ｒ１の明るさとハイレベルの第３電力で光源４を駆動した際に第２視点Ｖ２用のフィルター２３ｂを通った赤色の画像Ｒ２の明るさとの差の方が小さく、ｈ権実施形態ではその差はない。
【００８１】
所定の電力（例えばローレベルの第１電力）で光源４を駆動した際に第１視点Ｖ１用のフィルター２３ａを通った緑色の画像Ｇ１の明るさと第２視点Ｖ２用のフィルター２３ｂを通った緑色の画像Ｇ２の明るさとの差より、第１電力で光源４を駆動した際に第１視点Ｖ１用のフィルター２３ａを通った緑色の画像Ｇ１の明るさとハイレベルの第２電力で光源４を駆動した際に第２視点Ｖ２用のフィルター２３ｂを通った緑色の画像Ｇ２の明るさとの差の方が小さく、本実施形態ではその差はない。
【００８２】
所定の電力（例えばローレベルの第１電力）で光源４を駆動した際に第１視点Ｖ１用のフィルター２３ａを通った青色の画像Ｂ１の明るさと第２視点Ｖ２用のフィルター２３ｂを通った青色の画像Ｂ２の明るさとの差より、第１電力で光源４を駆動した際に第１視点Ｖ１用のフィルター２３ａを通った青色の画像Ｂ１の明るさとハイレベルの第４電力で光源４を駆動した際に第２視点Ｖ２用のフィルター２３ｂを通った青色の画像Ｂ２の明るさとの差の方が小さく、本実施形態ではその差はない。
【００８３】
所定の電力（例えばローレベルの第１電力）で光源４を駆動した際に第１視点Ｖ１用のフィルター２３ａを通った右眼用画像全体の明るさＷ１と第２視点Ｖ２用のフィルター２３ｂを通った左眼用画像全体の明るさＷ２との差より、第１電力で光源４を駆動した際に第１視点Ｖ１用のフィルター２３ａを通った右眼用画像全体の明るさＷ１とハイレベルの第２電力、第３電力及び第４電力で光源４を駆動した際に第２視点Ｖ２用のフィルター２３ｂを通った左眼用画像全体の明るさＷ２との差の方が小さく、本実施形態ではその差はない。
【００８４】
右眼用画像と左眼用画像に間において、上述のように各色の明るさの差が小さいまたは無くすことにより、所定の電力（例えばローレベルの第１電力）で光源４を駆動した際に第１視点Ｖ１用のフィルター２３ａを通った右眼用画像のカラーバランスと第２視点Ｖ２用のフィルター２３ｂを通った左眼用画像のカラーバランスとの差より、第１電力で光源４を駆動した際に第１視点Ｖ１用のフィルター２３ａを通った右眼用画像のカラーバランスとハイレベルの第２電力、第３電力及び第４電力で光源４を駆動した際に第２視点Ｖ２用のフィルター２３ｂを通った左眼用画像のカラーバランスとの差の方が小さくなる。
図１２に示すように、本実施形態においては、右眼用画像と左眼用画像のそれぞれにおいて、所定のカラーバランスが実現されており、右眼用画像と左眼用画像とでカラーバランスが揃っている。このように、本実施形態のプロジェクター２は、供給電力を大きくしたことに伴うスペクトルの変化によるカラーバランスの崩れを抑制することができ、高品質な画像を表現できる。
【００８５】
なお、高電力時に形成される視差画像において、いずれかの色光の光量が過剰になることを抑制するには、光分離部５のフィルター１３の特性を調整しておくこともできる。例えば、高電力時に形成される視差画像において赤色光（第２波長光ｒ２）の光量が過剰になる場合には、光分離部５において第２波長光ｒ２を通すフィルター１３の透過率を、光分離部５において第１波長光ｒ１を通すフィルター１３の透過率よりも低く設定しておけばよい。
【００８６】
なお、本発明の技術範囲は上記の実施形態に限定されるものではない。上記の実施形態で説明した要件は、適宜組み合わせることができる。また、上記の実施形態で説明した要件の少なくとも１つは、省略されることある。本発明の主旨を逸脱しない範囲内で多様な変形が可能である。
【００８７】
なお、上述の実施形態においては、低電力時に右眼用画像を形成し、高電力時に左眼用画像を形成しているが、低電力時に左眼用画像を形成し、高電力時に右眼用画像を形成してもよい。
【００８８】
また、上述の実施形態において、光源４は、電源部９から供給される供給電力により、第１色光（赤色光）、第２色光（緑色光）、及び第３色光（青色光）を含む光源光を発するとしたが、第１色光が緑色光又は青色光としてもよいし、第２色光が赤色光又は青色光としてもよいし、第３色光が緑色光又は赤色光であってもよい。
【００８９】
また、上述の実施形態において、それぞれ第１〜第３色光の画像で右眼用画像と左眼用画像とを形成しているが、それぞれ１色又は２色又は４色以上の画像で右眼用画像と左眼用画像とを形成することもできる。
【００９０】
また、上述の第２実施形態において、光分離部５ａのフィルター１３が、第１赤フィルター１３Ｒ１、第１緑フィルター１３Ｇ１、第１青フィルター１３Ｂ１、第２赤フィルター１３Ｒ２、第２緑フィルター１３Ｇ２、及び第２青フィルター１３Ｂ２が、この順に所定軸の時計周りに並んで配置されているが、順番は他の順番でもよく、各フィルターの領域が異なる形状でもよい。
【符号の説明】
【００９１】
１  画像表示システム、２  プロジェクター、４  光源、５  光分離部、５ａ  光分離部、６  画像形成部、７  投写部、８  制御部、１３  フィルター、２０、２０ａ、２０ｂ、２０ｃ  光変調器、２３ａ、２３ｂ  フィルター
【図１】
2014056028.tif 000003
【図２】
2014056028.tif 000004
【図３】
2014056028.tif 000005
【図４】
2014056028.tif 000006
【図５】
2014056028.tif 000007
【図６】
2014056028.tif 000008
【図７】
2014056028.tif 000009
【図８】
2014056028.tif 000010
【図９】
2014056028.tif 000011
【図１０】
2014056028.tif 000012
【図１１】
2014056028.tif 000013
【図１２】
2014056028.tif 000014